(57)【要約】【課題】従来、椅子や車椅子などの座部構造においては種々のものが提案されているが、座部の高さの調整できない物が多い。またこれらの椅子などは座部を調整するためシートマットやクッションを座シートの上に載せて高さを調整していた。また座椅子などの場合には座高の高さ調整できるものなどなかったので、お年寄りや体の不自由な人などは使いかってが悪かった。【解決手段】ジャッキを２基以上並列にあるいは縦列に一定間隔に設置をして連結構造にする。その２基以上のジャッキをの上部に座シートなどの台座部を載せて、高さ調整の出来る座高調整式椅子を提供する。またベッドなどの寝台の高さ調整の出来るベッドなどを提供する。【選択図】図１2005160993.tif 000003
2005160993.tif 000002
【特許請求の範囲】
【請求項１】
２基以上のジャッキを並列及び縦列に適当間隔に設置して、その２基以上のジャッキを連結一体構造にしてあり、その連結一体式構造にされたジャッキ外周部の左右あるいは前後の一方の回転部を回転さすことで設置されている各ジャッキが同時に上下に上げ下げ出来る一体式連結構造のジャッキシステム。
【請求項２】
このジャッキシステムを使用した椅子や座椅子や車椅子などの座高を調整できる装置。
【請求項３】
このジャッキシステムを使用した椅子や座椅子や車椅子などの肘掛部の高さを調整できる装置。
【請求項４】
このジャッキシステムを使用した椅子や机やベッドなどの脚部の高さを調整できる装置。
【発明の詳細な説明】
【技術分野】
【０００１】  この発明は、主として椅子に関するものであり、特に車椅子や座椅子などの使用目的に応じて座高の位置を調整できるようにした車椅子の座高調整構造に関するものである。
【背景技術】
【０００２】従来、椅子や車椅子などの座部構造においては種々のものが提案されているが、座部の高さの調整できない物が多い。またこれらの椅子などは座部を調整するためシートマットやクッションを座シートの上に載せて高さを調整していた。また座椅子などの場合には座高の高さ調整できるものなどがなかった。
【発明の開示】
【発明が解決しようとする課題】
【０００３】  しかしながら、個人個人の使用者の体型には個人差があり、快適な使用感を得る為には、使用者のそれぞれの身長、特に足の長さなどの個人差に応じて座部の高さを調整する必要がある。また、座椅子などに関しては、お年寄りの方などは座椅子に座るときに最後まで屈んで座椅子に腰を掛けることなどが難しく、座る時には座椅子の高さを高くしておいて、座ってから座椅子の高さを低く下げていくようにすれば、非常に座りやすくなる。
【課題を解決する為の手段】
【０００４】  以上の課題を解決する為に、本発明は種々の問題点に鑑みて成された装置である。座椅子の座部の下部に、２基以上のジャッキを並列にあるいは縦列に適当間隔に連結構造にして主にジャッキの上部が座部などの面構造になるようにした。そのジャッキの上下運動にて座高の高さの調整を自在にできるものであり、またモーターなどの動力源を使い手元で簡単に操作できるものとしたらなお良い。
【発明の効果】
【０００５】  以上の手段によって通常の椅子や車椅子などに関して言えば、個人個人の使用者の体型に合わせた座高の高さ調整などが容易になり、また座椅子などにも関して言えばお年寄りや体の不自由な人、特に足腰が不自由な人などが座椅子に座るときに、最後まで屈まなくても座椅子に腰を掛けることが容易になる。
【発明を実施する為の最良の形態】
【０００６】  この発明の座椅子や車椅子などの場合の一実施形態を図１・図２・図３に示す。
【０００７】  以下、掌握部７を握り、回転盤８を回転させたところから動力の伝わり方を例に説明する。
まず掌握部７を握り回転盤８を回転さすと回転盤８と歯車５１は軸支５０により連結固定されており歯車５１は連動回転する。また掌握部７は折りたたみ式になっており通常は横や前にハミ出してはいない。この回転盤８は、図６のようなラジェット等の螺子回し機の原理を利用した構造にしても良いし、また、モーターなどの動力源を利用したものにしても良い。またこの図では回転盤８は開口部に向かって側面についているが、開口部側前面に取り付ける構造としても良い。
【０００８】  歯車５１は歯車５２と歯がかみ合っており、歯車５１が回転すると歯車５２も連動して連動回転する。
【０００９】  歯車５２は回転軸棒２３と一体式構造であり、歯車５２が回転すると回転軸棒２３も連動回転する。
【００１０】  歯車５２は歯車５３と歯が噛み合っており、歯車５２が回転すると歯車５３も連動回転する。
【００１１】  歯車５３は左右連結棒２７と一体式構造であり、歯車５３が回転すると左右連結棒２７も連動回転する。これにより左右対称に動力が伝わるようになる。（以下左右対称に力が伝わり左右対称に動く。）
【００１２】  回転軸棒２３は螺刻されており、回転歯車２２と螺合しており回転軸棒２３が回転すると回転歯車２２も回転するようになる。
【００１３】  また回転軸棒２３の上部には回転軸棒受２４があり、回転軸棒受２４の内部は回転軸棒２３の螺刻と螺合するように螺刻されており、なお、回転軸棒受２４はジャッキ上面の平面支持枠２と一体式構造となっているため、これによりジャッキの上下の動きに対応するようになる。また、回転軸棒受２４は回転軸棒２３が突き抜けるようにしても良いし、回転軸棒２３に対応する長さとしても良い。
【００１４】  回転歯車２２は回転軸棒２６と一体式構造であり、これにより回転軸棒２３が回転すると回転歯車２２が連動回転する。また回転歯車２２が回転すると回転軸棒２６が連動回転する。この回転軸棒２６はジャッキ接続ピン２９の中央部を貫通しており、この貫通中空部にも回転軸棒２６に螺刻に対応すべく螺刻されている。回転軸棒２６が回転することによってジャッキが上下に上げ下げされることになる。（以下ジャッキの構造の原理を想像して頂きたい。）
【００１５】  ジャッキ前方部の台座２８については中空部の穴を設けそこで左右連結棒２７が貫通しており、これにより左右連結棒は回転可能に挿着されている。
【００１６】  また、回転軸棒受２４は肘掛支持台７１の中に収納してあり外見上は見えないようになっている。
【００１７】  なお、ジャッキの上下部に平面の枠を形成するために上方平面支持枠２及び下方平面支持枠１０を形成して、それがジャッキ等の上部または下部の面の外周を回るようになっている。その上方および下方のそれぞれの平面支持枠２および平面支持枠１０に板等の平面板４などを乗せて一体式固定してある。さらに上方平面支持枠２の上に座部であるシートクッションなどで形成されたシートクッション３が乗り一体式固定されている。このシートクッション３が直接腰などを掛けて接する面になる。上記に記したこれらの一連の動作により、座椅子や車椅子などの座部が安定して上下に上げ下げされるようになる。
【００１８】  次に図５及び図６について説明する。基本的には上記に記したジャッキシステムの応用した例なので詳しい動力の伝わり方などの説明は上記に記したものと一緒である。これは連結構造のジャッキシステムをベッドなどに応用した一実施例である。ジャッキシステムを回転軸棒２６を伸ばして縦列方向にも連結構造とする。あとは並列には上記にて記したように、ジャッキシステムは連結されているのでこの各ジャッキをベッドの四方下部に設置されている。後は各ジャッキが連結構造とされているので、これなども回転盤を一箇所回転さすことにより各ジャッキが同時に上下に上げ下げされるようになる。
【００１９】  後は、各平面支持枠２の上部に平面板４などが乗っかり固定されており、その上にベッドのクッションスプリング台１００などが乗っかるようになる。
【００２０】  これなども各ジャッキシステムをモーターで連結して手元で操作できるようにした方が良い。最低でも一箇所に強力なモータなどの動力源がつけば各ジャッキは連動しているので上下に作動するようになる。
【００２１】  なお、このジャッキシステムにモータを取り付ける場合には、歯車５１に連動するように取り付けるようにすると良い。
【００２２】「他の実施形態」
椅子や座椅子などの肘掛部にもジャッキ連結システムを使用して、肘掛部の高さを調整できるようにしても良い。
【００２３】  椅子や机などの脚部にもジャッキ連結システムを使用して、脚部の高さを調整できるようにしても良い。
【図面の簡単な説明】
【００２４】
【図１】この考案の、一実施形態を示す正面から見た座椅子の構造図である。
【図２】この考案の、一実施形態を示す前側から見た車椅子などの構造図である。
【図３】この考案の、一実施形態を示す横側からみた車椅子などの構造図である。
【図４】この考案の、一実施形態を示す横側から見たベッドなどの構造図である。
【図５】この考案の、一実施形態を示す正面から見たベッドなどの構造図である。
【図６】従来ある、通称ラジェットと称する螺子回し工具である。
【符号の説明】
２、上方平面支持枠    １０、下方平面支持枠
３、シートクッション    ４、平面板    ７、掌握部    ８、回転盤
２２、回転歯車    ２３、回転軸棒    ２４、回転軸棒受
２５、ジャッキアーム部    ２６、回転軸棒    ２７、左右連結棒
２８、台座    ２９、ジャッキ接続ピン
５０、軸支    ５１、歯車（この場合は傘歯車）    ５２、歯車（この場合は傘歯車）
５３、歯車（この場合は傘歯車）    ７０、肘掛部    ７１、肘掛支持部
７５、背もたれ    １００、クッションスプリング台
【図１】
2005160993.tif 000004
【図２】
2005160993.tif 000005
【図３】
2005160993.tif 000006
【図４】
2005160993.tif 000007
【図５】
2005160993.tif 000008
【図６】
2005160993.tif 000009